(57)【要約】【課題】消臭、除菌が可能なペット用ハンディクリーナーを提供する。【解決手段】ペット用ハンディクリーナー１００は、充電池１２と、前記充電池１２により電源供給される電動送風機１６と、前記電動送風機１６で発生した吸引風により外部からゴミが流入する吸引口１４と、前記吸引口１４から流入したゴミを溜める集塵部１８とを具備するクリーナー本体１０と、前記クリーナー本体１０を接続して前記充電池１２に充電する充電台３０と、を備え、前記充電台３０は除菌成分又は消臭成分のうち少なくとも一方を発生する除菌消臭機構３６を具備し、前記充電台３０に前記クリーナー本体１０を接続した際、前記吸引口１４に対向する位置に前記除菌消臭機構の通気口３２ｂを設けたことを特徴とする。【選択図】図１
2019097952.tif 000002
【特許請求の範囲】
【請求項１】
充電池と、前記充電池により電源供給される電動送風機と、前記電動送風機で発生した吸引風により外部からゴミが流入する吸引口と、前記吸引口から流入したゴミを溜める集塵部とを具備するクリーナー本体と、
前記クリーナー本体を接続して前記充電池に充電する充電台と、を備え、
前記充電台は除菌成分又は消臭成分のうち少なくとも一方を発生する除菌消臭機構を具備し、
前記充電台に前記クリーナー本体を接続した際、前記吸引口に対向する位置に前記除菌消臭機構の通気口を設けたペット用ハンディクリーナー。
【請求項２】
前記クリーナー本体を充電台に接続した状態で鉛直方向から見た際、前記充電台の通気口と前記クリーナー本体の吸引口は、前記除菌消臭機構の拡散成分の一部が前記吸引口に入り込むように、少なくとも部分的に重なるよう配設されている請求項１に記載のペット用ハンディクリーナー。
【請求項３】
前記除菌消臭機構は、オゾン生成装置、マイナスイオン生成装置、プラズマ放電によるイオン生成装置のいずれかである請求項１又は２に記載のペット用ハンディクリーナー。
【請求項４】
前記充電台は、送風機構を具備する請求項１から３のいずれか１項に記載のペット用ハンディクリーナー。
【請求項５】
前記充電台において、前記除菌消臭機構の動作用電源は、前記充電池の充電用電源から分岐して供給される請求項３又は４に記載のペット用ハンディクリーナー。
【請求項６】
前記吸引口に取り付ける付属品をさらに備え、前記付属品を収容する収容部を前記充電台に設けた請求項１から５のいずれか１項に記載のペット用ハンディクリーナー。
【発明の詳細な説明】
【技術分野】
【０００１】
本発明は、ペット用ハンディクリーナーに関するものである。
【背景技術】
【０００２】
ハンディクリーナーは、小型で軽量な手持ち型クリーナー（電気掃除機）であり、特に、充電式電池により電源供給される充電式ハンディクリーナーは、コードにとらわれずに広範囲を清掃可能であるため、家庭等の清掃に広く用いられている。
【０００３】
充電式ハンディクリーナーは、こうした利点があるものの、コード式に比べて吸塵強度が劣る、運転持続時間が短い等の課題があるため、従来よりこのような課題を解決する技術が種々提案されてきた（例えば、特許文献１、２）。
【先行技術文献】
【特許文献】
【０００４】
【特許文献１】登録実用新案第３２０９６３１号公報
【特許文献２】特開２０１５−１５９８４１号公報
【０００５】
特許文献１には、吸塵強度を向上する目的で、床ブラシに専用モーターを配設した充電式ハンディクリーナーが開示されている。導電性伸縮管によりクリーナー本体から床ブラシ専用モーターに電源供給されると、床ブラシのヘッドが床面で回転し、埃を吸い取ると同時に床面をかきとりながら清掃するため、吸塵強度を向上することができる。
【０００６】
また、特許文献２には、充電式ハンディクリーナーが大型のスティックタイプのクリーナーに対して着脱する構成が開示されている。ハンディクリーナーに内蔵された第１の充電池とスティックタイプのクリーナーに内蔵された第２の充電池とが相互に交換可能に構成されており、ハンディクリーナーを使用して第１の蓄電池の電流容量が減少した場合に、第１の蓄電池と第２の蓄電池とを交換することができるので、充電式ハンディクリーナーによる運転持続時間を伸ばすことができる。
【発明の概要】
【発明が解決しようとする課題】
【０００７】
このように従来周知であった課題を補う技術は種々提案されているが、一方で、近年、室内で猫や小型犬等のペットを飼育する愛好家が増え、ペットの抜け毛等をハンディクリーナーで清掃する需要が高まっている。ペットの毛は、家具の隙間など細部に入り込むことが多く、小型で軽量なハンディクリーナーが好適である。また、既存の掃除機とは別にハンディクリーナーを購入し、悪臭の発生源となるペット用トイレ付近等に置いて、従来より高頻度に清掃する用途も広まってきている。
【０００８】
しかし、ペット用途に従来のハンディクリーナーを使用すると、ペットの毛、糞や皮脂が付着した埃、ペットに付くダニやその糞等がハンディクリーナーの集塵部に溜まり、集塵部から悪臭が発生してしまう。また、吸引口付近にもこれらが付着すると、より外気に近い場所で悪臭が発生してしまう。
【０００９】
さらに、従来の用途では、満量近くまで集塵部にゴミが溜まった時にゴミをまとめて捨てれば良いが、ペット用途の場合には、ゴミを清掃後に放置すると、集塵部内でゴミが腐敗して悪臭が一層強くなったり、不衛生な菌が増殖して健康被害を生じる恐れもある。これを防ぐには、使用後に毎回ゴミを捨てたり、吸引口付近を清掃すれば良いが、上記したようにペット用途では清掃の頻度が従来より高くなる傾向にあり、その手間は大きい。また、悪臭を感じながらの作業は、１回あたりの作業負担も従来より大きくなる。
【００１０】
本発明は、このようなペット用途特有の課題を解決するためになされたものであり、消臭、除菌が可能なペット用ハンディクリーナーを提供することを目的とする。
【課題を解決するための手段】
【００１１】
上記した目的を達成するために、本発明に係るペット用ハンディクリーナーは、充電池と、前記充電池により電源供給される電動送風機と、前記電動送風機で発生した吸引風により外部からゴミが流入する吸引口と、前記吸引口から流入したゴミを溜める集塵部とを具備するクリーナー本体と、前記クリーナー本体を接続して前記充電池に充電する充電台と、を備えており、前記充電台は除菌成分又は消臭成分のうち少なくとも一方を発生する除菌消臭機構を具備し、前記充電台に前記クリーナー本体を接続した際、前記吸引口に対向する位置に前記除菌消臭機構の通気口を設けたことを特徴とする。
【００１２】
このような構成としたことで、清掃後にハンディクリーナーの本体を充電台に接続すると、充電台に具備された除菌消臭効機構から発生した除菌、消臭成分が、吸引口から集塵部に流入する。この流入した除菌、消臭成分によって、吸引口、集塵部、及びその間の吸引経路が除菌、消臭される。
【００１３】
従って、ハンディクリーナーの本体における悪臭や不衛生な菌の増殖を防げ、使用後に毎回ゴミを捨てたり、吸引口付近を清掃する手間を省くことができる。
【発明の効果】
【００１４】
本発明によれば、充電台に具備された除菌消臭機構により、消臭、除菌が可能なペット用ハンディクリーナーを提供できる。
【図面の簡単な説明】
【００１５】
【図１】本発明の一実施形態に係るペット用ハンディクリーナーの斜視図である。
【図２】図１に示すペット用ハンディクリーナーの本体を充電台から外し、吸引口に付属品を取り付けた状態の斜視図である。
【図３】図１で示すペット用ハンディクリーナーのＡ−Ａ方向断面図であり、（Ａ）は全体を、（Ｂ）は付属品（ブラシ）を収容した充電台を示す。
【図４】図１で示すペット用ハンディクリーナーのＡ−Ａ方向断面図のうち、吸引口付近の部分拡大図である。
【図５】本発明の別の実施形態に係るペット用ハンディクリーナーを示す図であり、（Ａ）は充電台の斜視図、（Ｂ）は全体側面図である。
【図６】図５（Ｂ）で示すペット用ハンディクリーナーのＢ−Ｂ方向断面図のうち、吸引口付近の部分拡大図である。
【発明を実施するための形態】
【００１６】
以下、図面を参照しながら本発明の実施形態について説明する。
図１は本発明の一実施形態に係るペット用ハンディクリーナー（以下、ハンディクリーナーと称する）を示す図である。
【００１７】
ハンディクリーナー１００は、クリーナー本体１０と、クリーナー本体１０に充電する充電台３０とを備え、本実施形態においては付属品５０としてブラシを備える。ブラシ５０は、図２に示すように、クリーナー本体１０の端部に設けられた開口である吸引口１４に取り付けて使用する。ブラシ５０により絨毯や布団の窪み等に挟まった毛等を掻き出しながら、より効率的に清掃可能となる。付属品５０は、電気掃除機に用いられる部材であればブラシに限られず、例えば、より細部を清掃可能な先端先細の延長部材等としても良く、また複数個（種類）あっても良い。
【００１８】
クリーナー本体１０は、図１及びそのＡ−Ａ方向断面図である図３（Ａ）に示すように、充電池１２と、充電池１２により電源供給される電動送風機１６と、電動送風機１６で発生した吸引風により外部からゴミが流入する吸引口１４と、吸引口１４から流入したゴミを溜める集塵部１８を具備する。
【００１９】
本実施形態に係る電動送風機１６は、充電池１２によって駆動するモーター１６ａと、モーター１６ａによって回転するファン１６ｂにより主に構成されている。電動送風機１６の構成はこれに限られず、電動で吸引風を発生するものであれば良い。
【００２０】
集塵部１８は内部空洞１８Ａを有していれば良く、その内部空洞１８Ａの体積はゴミの貯留量等に応じて、適宜設計可能である。また、形状もデザイン等によって適宜変更することができ、さらには、ゴミを遠心分離して貯めるサイクロン式となるような形状にしても良い。集塵部１８は、一般的な着脱機構によってクリーナー本体１０に対して着脱でき、内部空洞１８Ａ内のゴミを廃棄できるようになっている。
【００２１】
集塵部１８とファン１６ｂとの間には、吸引風が通過する連通口２３が形成されており、その連通口２３を塞ぐようにエアフィルター２２が設けられている。吸引風により吸い込まれたゴミをエアフィルター２２に吸着させたり、エアフィルター２２が障壁となって集塵部１８に貯留させることによって、吸引風からゴミを取り除くことができる。
【００２２】
図示されたエアフィルター２２は、集塵部１８の内部空洞１８Ａに突出しているが、必ずしも突出する必要はなく、薄型でも良い。エアフィルター２２の素材は、汎用的な不織布製のものや、より高性能のＨＥＰＡ（high-efficiency particulate air filter）等、種々様々なものを使用することができる。
【００２３】
吸引口１４には、集塵部１８に突出するように中空棒状のノズル２４が一体化されている。ノズル２４は吸引口１４から流入したゴミを集塵部１８に導く吸引経路である。ノズル２４の短手方向の断面積を吸引口１４の開口面積と略同一、またはファン１６ｂに近づくにつれて徐々に小さくすることによって、クリーナー本体１０は吸引圧力を保ったまま（吸塵強度を落とさずに）、流入したゴミを集塵部１８に導くことができる。
【００２４】
クリーナー本体１０の上部の把持部２６には、使用者が手元で操作してクリーナー本体１０を動作させる操作部２６ｂ及び集塵部１８をクリーナー本体１０に対して着脱する際のロック解除ボタン２６ａが設けられている。
【００２５】
クリーナー本体１０の側面底部側には、クリーナー本体１０内を通過した吸引風を外部に排出する排出口２０が設けられている（図１及び図２参照）。集塵部１８に流入した吸引風は、フィルター２２、連通口２３、ファン１６ｂを通過して排出口２０に到達し、外部に排出される。フィルター２２に上記したＨＥＰＡフィルター等、高性能のものを用いると、より清浄された吸引風を排出口２０から外部に排出可能となる。
【００２６】
次に、図１及び図３（Ｂ）を参照し、前記充電台３０について説明する。充電台３０は、クリーナー本体１０が載置される台座３２と、クリーナー本体１０が台座３２に載置された際、クリーナー本体１０の充電池１２に電源を供給する接続部である充電部３４と、除菌成分又は消臭成分のうち少なくとも一方を発生する除菌消臭機構３６と、本実施形態においては、外部から充電台３０に電源を供給する電源ケーブル６０とを具備する。図では、充電台３０は横置きであるが、充電台３０の背面に支え（図示せず）を設ける等して、充電台３０を写真たてのように自立するようにしても良い。
【００２７】
前記除菌消臭機構３６は、台座３２の一方の端部３２ａの内側に配設されており、前記端部３２ａには除菌消臭機構３６から発生する除菌、消臭成分（拡散成分とも称する）の通気口となる開口（通気口３２ｂ）が形成されている。図１で示すように、本実施形態において、通気口３２ｂは複数の開口からなるが、一つ以上あれば良い。台座３２のもう一方の端部３２ｃには、付属品（ブラシ）５０を収容する凹部が形成されている。
【００２８】
除菌消臭機構３６は、除菌成分又は消臭成分の少なくとも一方を発生可能なものであれば限定されないが、例えば、小型のオゾン生成装置やマイナスイオン生成装置、プラズマ放電によるイオン生成装置を用いることができる。これらの装置は、除菌成分と消臭成分の両方を発生させることができ好ましい。
【００２９】
充電台３０は、除菌消臭機構３６から発生される除菌、消臭成分を移送する送風機構３８を備えていても良い。これにより、通気口３２ｂから勢いよく、より遠くまで除菌、消臭成分を到達させることができる。送風機構３８の具体的な構成は限定されず、例えば小型ファンを用いることができる。
【００３０】
電源ケーブル６０から充電台３０に供給される充電用電源は、分岐して、除菌消臭機構３６の動作用電源としても用いることが好ましい。さらに、上記した送風機構３８を備える場合、その動作用電源へも分岐しても良い。電源を共有することにより、除菌消臭機構３６を設けても充電台３０を大型化することなく、小型にできる。
上記した構成において、クリーナー本体１０の動作制御、電源ケーブル６０から供給される直流電流を充電部３４及び除菌消臭機構３６に分岐、制御する電子制御回路等については、台座３２内に配設された制御部３９によって成される。
【００３１】
次に、図４を参照し、クリーナー本体１０の吸引口１４付近と、充電台３０に具備された除菌消臭機構３６の除菌、消臭成分の通気口３２ｂとの位置関係について説明する。図４に示すように、充電台３０にクリーナー本体１０を載置した際、通気口３２ｂは吸引口１４と対向する位置に設けられている。これによって、除菌消臭機構３６から放出された除菌、消臭成分が図の矢印で示すように吸引口１４に流入する。
【００３２】
本実施形態において、台座３２の一方の端部３２ａは山状に形成されており、山状の両側の斜面のうちクリーナー本体１０が載置される側の斜面に、開口である通気口３２ｂが設けられている。この場合、充電台３０は横置きタイプとして構成されており、クリーナー本体１０を充電台３０上に載置すると、クリーナー本体１０の吸引口１４は図４に示すように、水平面に対して傾斜した配置態様となる。上記したように、充電台３０の端部３２ａを山状に形成し、その傾斜した部分に通気口３２ｂを配設することで、通気口３２ｂと吸引口１４を略平行状態に対向させることができ、通気口３２ｂから放出される除菌、消臭成分を効率よく吸引口１４に流入させることができる。
【００３３】
なお、通気口３２ｂと吸引口１４の対向する離間距離Ｄは、できるだけ近接していることが好ましいが、離れすぎると拡散成分が鉛直方向（上昇方向）に流れてしまい、クリーナー本体１０内の十分な除菌、消臭機能が得られなくなってしまう。このため、通気口３２ｂと吸引口１４の離間距離Ｄについては、鉛直方向から見た際に、通気口３２ｂと吸引口１４が少なくとも部分的に重なるような関係となっていることが好ましい。
【００３４】
また、通気口３２ｂの大きさ（複数の開口からなる場合には両端部の開口間の大きさ）は吸引口１４の大きさと略同一、または吸引口１４より小さく形成されている。これによって、通気口３２ｂから放出された除菌、消臭成分のほぼ全量を吸引口１４に流入させることができる。
【００３５】
なお、除菌消臭機構３６は、必ずしも台座３２の内部に搭載されている必要はなく、例えば台座３２の上に積載しても良い。その場合、除菌消臭機構３６の除菌、消臭成分の通気口は、台座３２の端部３２ａの開口でなく、除菌消臭機構３６が有する除菌、消臭成分の吹き出し口となる。その場合には、この吹き出し口を適宜設計し、除菌、消臭成分の通気口と吸引口１４との位置、大きさの関係を調整する。
【００３６】
次に、図５及び図６を参照し、前記充電台の第２の実施形態（充電台４０）について説明する。以下、既述した第1の実施形態と同一の部分については、同一の参照符号を付し、詳細な説明については省略する。
【００３７】
第２の実施形態は、台座４２の一方の端部４２ａの形状が、第１実施形態と異なる。図５（Ａ）に示すように、充電台４０の台座４２の一方の端部４２ａは平坦であり、その平坦な端部４２ａに、除菌、消臭成分の通気口となる開口（通気口４２ｂ）が形成されている。図５（Ｂ）に示すように、充電台４０にクリーナー本体１０を載置すると、通気口４２ｂとクリーナー本体１０の吸引口１４は対向するものの、通気口４２ｂの傾斜は吸引口１４の傾斜と略平行ではない。
【００３８】
このように構成すると、図６の断面図で示すように、通気口４２ｂから放出された除菌、消臭成分の一部をクリーナー本体１０の吸引口１４に流入し、残りの部分を吸引口１４に流入せず外気に放出させることができる。外気に放出された除菌、消臭成分は、ハンディクリーナー１００の周辺空間に拡散し、これによって、ハンディクリーナー１００が置かれた周辺空間を除菌、消臭可能となる。
【００３９】
すなわち、第２の実施形態は、クリーナー本体１０を除菌、消臭するだけでなく、ハンディクリーナー１００が置かれた周辺空間も除菌、消臭可能となる。例えば、ハンディクリーナー１００をペットの居室やペット用トイレ付近に設置した場合、これらの空間を常時除菌、消臭することができ、かつ、その付近を清掃したクリーナー本体１０を除菌、消臭することができる。
【００４０】
なお、図６に示すように、吸引口１４の幅Ｗ１と、通気口４２ｂ（通気口４２ｂが複数の開口からなる場合には両端部の開口間）の幅Ｗ２は、充電台４０の長手方向断面において重なりがあるように配設されることが好ましい。重なりがあることで、上記したように居室内とクリーナー本体１０内の両者を合わせて除菌、消臭することができる。
【００４１】
以上、本発明に係るペット用ハンディクリーナー１００の一例を示したが、本実施形態における記述は、これに限定されるものではない。本実施形態におけるペット用ハンディクリーナーの細部構成等に関しては、本発明の趣旨を逸脱しない範囲で適宜変更可能である。例えば、クリーナー本体１０と充電台３０、４０との充電方式は限られず、ワイヤレス充電等でも良い。また例えば、クリーナー本体１０の吸引口１４は必ずしもクリーナー本体１０の先端に設けられている必要はなく、自走型クリーナーのようにクリーナー本体１０の底面に設けられていても良い。
【符号の説明】
【００４２】
１００  ハンディクリーナー
１０  クリーナー本体
１２  充電池
１４  吸引口
１６  電気送風機
１８  集塵部
３０、４０  充電台
３６  除菌消臭機構
３２ｂ、４２ｂ  通気口
３８  送風機構
５０  付属品
【図１】
2019097952.tif 000003
【図２】
2019097952.tif 000004
【図３】
2019097952.tif 000005
【図４】
2019097952.tif 000006
【図５】
2019097952.tif 000007
【図６】
2019097952.tif 000008